(57)【要約】【課題】換気装置の排気口近傍に差圧センサを設けても速やかに所定の風量に到達するように風量制御を行う換気装置を提供する。【解決手段】制御手段９はその内部に実験的に求めた一定風量を得るための送風機１３の回転数と差圧の相関データを予め保有し、実際の運転において差圧センサ８が検知する差圧が相関データに一致するように送風機１３の回転数を制御することにより所定の風量を得ることができ、またその回転数を不揮発性記憶装置１４に記憶しておき次回運転開始する際に不揮発性記憶装置１４から回転数を読み出し、その回転数で運転開始する。【選択図】図４
2009264622.tif 000002
【特許請求の範囲】
【請求項１】
空気を送風する送風機を備え、前記送風機の排気側にオリフィスを備え、前記オリフィスの風上側と風下側の差圧を検知する差圧検知部と前記送風機の回転数を検知する回転数検知手段を備え、、前記差圧検知部が検知する差圧を所定値になるように制御手段が前記送風機の回転数を可変する回転数可変手段を介して前記送風機の回転数を制御して一定風量の換気を行い、前記制御手段は、その内部に前記送風機の回転数とこの回転数に対応する差圧との相関データを保有し、前記差圧検知部の検知する差圧と前記回転数検知手段が検知する回転数とが前記相関データと一致するように前記回転数可変手段を介して送風機の回転数を制御する制御手段を備え、前記相関データと一致した前記送風機の回転数を不揮発性記憶装置に記憶し、次回の運転において記憶した回転数を読み出して起動することを特徴とする換気装置。
【請求項２】
換気運転開始時に回転数を一定時間保持して前記送風機を運転する請求項１に記載の換気装置。
【請求項３】
複数の換気風量を選択するための風量設定手段と、換気風量変更時に回転数を一定時間保持して前記送風機を運転する請求項１に記載の換気装置。
【請求項４】
換気運転中に換気風量が増加方向に変更された場合には最低回転数を制限し、減少方向に変更された場合には最大回転数を制限する請求項３に記載の換気装置。
【請求項５】
換気運転中に換気風量が変更された場合に現在の回転数から変更後の初期回転数を推定する請求項３に記載の換気装置。
【請求項６】
換気風量が所定の値に到達したことを知らせるための適正風量表示手段を有する請求項１に記載の換気装置。
【請求項７】
最高回転数で運転しても設定された風量に到達していないことを知らせるための風量低下表示手段を有する請求項１に記載の換気装置。
【発明の詳細な説明】
【技術分野】
【０００１】
本発明は、例えば、一般住宅や事務所などの複数の部屋、浴室、トイレの換気を１台で行う換気装置などに関わり、換気装置の排気接続口の近傍などに設けたオリフィスなどの前後の差圧により、設置状況によってダクト配置の条件が異なっても、所定の安定した換気風量が得られるようにしたものである。
【背景技術】
【０００２】
従来、この種のダクトを有する換気装置は、建物の広さや間取りで給気ダクトや排気ダクトの長さや曲がりなどの設置条件（ダクト抵抗）が異なっても、設置現場において送風機の出力調整などを行わずに自動的に所定量の安定した換気風量が得られることが求められている。
【０００３】
安定した換気風量を確保するためには、換気風量を正確に計測するセンサが必要であり、このためのセンサとしてオリフィス式流量計が実用化されており、このセンサの原理を用いた換気装置も提案されている（例えば、特許文献１参照）。
【０００４】
以下、その換気装置について図１９を参照しながら説明する。図に示すように、建物の上部に垂直方向に取り付けられる換気装置１００は、中央部にオリフィス（絞り機構）部を有する仕切り板１０１により上下に二分され、下方にチャンバー１０２を有する。仕切り板１０１の上方に風洞１０３を有し、その上方に送風機１０４を設けている。さらにその上方に排気ダクト１０５が取り付け可能なダクト接続口１０６を有している。
【０００５】
風洞１０３の内部にはギヤードモータ１０７で駆動され、矢示のように回動して風洞１０３内の通風断面積を調節する風量調節部材１０８を設けている。
【０００６】
仕切り板１０１の一部と風洞１０３の一部とにそれぞれ圧力検出口１０９、１１０を設け、これに接続し、チャンバー１０２と風洞１０３内の差圧を測定する差圧センサ１１１が設けられている。
【０００７】
このような構成において、差圧センサ１１１を入力とする制御手段（図示せず）は、差圧センサ１１１が検知する差圧が絶えず一定になるようにギヤードモータ１０７を駆動するので、給気ダクトや排気ダクトの条件が異なっても、あるいは外気圧が変動しても所定量の換気風量が確保できる。
【特許文献１】特開２００１−６５９３７号公報
【発明の開示】
【発明が解決しようとする課題】
【０００８】
このような差圧センサによる定風量の方式を、一台の換気装置で複数の部屋の換気を行いながら住宅内の総換気量を所定の値に制御する場合には、換気装置に接続される複数の給気用のダクト毎に差圧センサを設ける必要が生じ、このため換気装置が複雑で高価になる課題がある。そこで、差圧センサを換気装置の排気接続口側に取り付けることで構成を簡素にすることができる。
【０００９】
しかしながら、オリフィス式差圧センサによる気流測定方法は、ダクトの断面各部の気流が均一な安定した状態において正確に気流を検知できるものである。送風機の吹き出し近傍に設けられる通常の排気接続口は、排気接続口の断面各部の気流が均一ではなく検知誤差が大きくなるので、検知誤差を小さくするためには、排気口を長尺のものにして（例えば１メートル以上）その末端部に差圧センサを設けるか、差圧センサを装備した専用の排気ダクトを換気装置とは別部材として準備し、施工現場において前記専用の排気ダクトを換気装置に装着することになる。このようにすれば排気ダクトの抵抗が施工現場毎にバラツキがあっても定風量の換気量が得られるが、前者は換気装置が大型化し、後者は施工現場における工事性が低下する課題がある。
【００１０】
本発明は、風量の正確度を維持したままで、かつ運転開始時に速やかに所定の風量を得ることができるコンパクトな換気装置の提供を目的としている。
【課題を解決するための手段】
【００１１】
本発明の換気装置は上記目的を達成するために、空気を送風する送風機を備え、前記送風機の排気側にオリフィスを備え、前記オリフィスの風上側と風下側の差圧を検知する差圧検知部と前記送風機の回転数を検知する回転数検知手段を備え、、前記差圧検知部が検知する差圧を所定値になるように制御手段が前記送風機の回転数を可変する回転数可変手段を介して前記送風機の回転数を制御して一定風量の換気を行い、前記制御手段は、その内部に前記送風機の回転数とこの回転数に対応する差圧との相関データを保有し、前記差圧検知部の検知する差圧と前記回転数検知手段が検知する回転数とが前記相関データと一致するように前記回転数可変手段を介して送風機の回転数を制御する制御手段を備え、前記相関データと一致した前記送風機の回転数を不揮発性記憶装置に記憶し、次回の運転において記憶した回転数を読み出して起動するようにしたものである。
【００１２】
この手段により建物の広さや間取りで給気ダクトや排気ダクトの長さや曲がりなど配置条件（ダクト抵抗）が異なっても、設置現場において送風機の出力調整などを行わずに自動的に所定量の安定した換気風量が得られる。その時の送風機の回転数を不揮発性記憶装置に記憶させ、次回の運転開始時に不揮発性記憶手段から読み出した回転数になるように制御することで速やかに規定の風量が得られることとなる。
【００１３】
また他の手段は、換気運転開始時に回転数を一定時間保持して前記送風機を運転することを特徴としている。このことにより、気流が安定した後から差圧値を読み取ることができるので安定した風量制御を行うことができる。
【００１４】
また他の手段は、複数の換気風量を選択するための風量設定手段と、換気風量変更時に回転数を一定時間保持して前記送風機を運転することを特徴としている。このことにより、気流が安定した後から差圧値を読み取ることができるので安定した風量制御を行うことができる。
【００１５】
また他の手段は、換気運転中に換気風量が増加方向に変更された場合には最低回転数を制限し、減少方向に変更された場合には最大回転数を制限することを特徴としている。このことにより、一時的に風量が逆転する現象が解消でき使用者は違和感なく使用することができる。
【００１６】
また他の手段は、換気運転中に換気風量が変更された場合に現在の回転数から変更後の初期回転数を推定することを特徴としている。このことにより、一時的に風量が逆転する現象が解消でき使用者は違和感なく使用することができる。
【００１７】
また他の手段は、換気風量が所定の値に到達したことを知らせるための適正風量表示手段を設けたものである。この手段により、使用者は表示を確認することにより適正な換気がされていることを容易に認識することができる。
【００１８】
また他の手段は、最高回転数で運転しても設定された風量に到達していないことを知らせるための風量低下表示手段を設けたものである。この手段により、使用者は表示を確認することにより異常状態を容易に認識することができる。
【発明の効果】
【００１９】
本発明によれば、制御風量の正確度を維持したままで、かつ運転開始時に速やかに所定の風量を得ることができるコンパクトな換気装置が提供できる。
【発明を実施するための最良の形態】
【００２０】
本発明の請求項１記載の発明は、空気を送風する送風機を備え、前記送風機の排気側にオリフィスを備え、前記オリフィスの風上側と風下側の差圧を検知する差圧検知部と前記送風機の回転数を検知する回転数検知手段を備え、、前記差圧検知部が検知する差圧を所定値になるように制御手段が前記送風機の回転数を可変する回転数可変手段を介して前記送風機の回転数を制御して一定風量の換気を行い、前記制御手段は、その内部に前記送風機の回転数とこの回転数に対応する差圧との相関データを保有し、前記差圧検知部の検知する差圧と前記回転数検知手段が検知する回転数とが前記相関データと一致するように前記回転数可変手段を介して送風機の回転数を制御する制御手段を備え、前記相関データと一致した前記送風機の回転数を不揮発性記憶装置に記憶し、次回の運転において記憶した回転数を読み出して起動することを特徴とする換気装置である。
【００２１】
このことにより、建物の広さや間取りで給気ダクトや排気ダクトの長さや曲がりなど配置条件（ダクト抵抗）が異なっても、設置現場において送風機の出力調整などを行わずに自動的に所定量の安定した換気風量が得られる。その時の送風機の回転数を不揮発性記憶装置に記憶させ、次回の運転開始時に不揮発性記憶手段から読み出した回転数になるように制御することで速やかに規定の風量が得られるコンパクトな換気装置を提供することができる。
【００２２】
本発明の請求項２、３記載の発明は、換気運転開始時、換気風量変更時に回転数を一定時間保持して送風機を運転することを特徴としている。このことにより、気流が安定した後から差圧値を読み取ることができるので安定した風量制御を行うことができる。
【００２３】
本発明の請求項４記載の発明は、換気運転中に換気風量が増加方向に変更された場合には最低回転数を制限し、減少方向に変更された場合には最大回転数を制限することを特徴としている。このことにより、一時的に風量が逆転する現象が解消でき使用者は違和感なく使用することができる。
【００２４】
本発明の請求項５記載の発明は、換気運転中に換気風量が変更された場合に現在の回転数から変更後の初期回転数を推定することを特徴としている。このことにより、一時的に風量が逆転する現象が解消でき使用者は違和感なく使用することができる。
【００２５】
本発明の請求項６記載の発明は、換気風量が風量設定手段に設定された値に到達したことを知らせるための適正風量表示手段を設けたことを特徴としている。この手段により、使用者は表示を確認することにより適正な換気がされていることを容易に認識することができる。
【００２６】
本発明の請求項７記載の発明は、最高回転数で運転しても設定された風量に到達していないことを知らせるための風量低下表示手段を設けたことを特徴としている。この手段により、使用者は表示を確認することにより異常状態を容易に認識することができる。
【００２７】
以下、本発明の実施の形態について図面を参照しながら説明する。
【００２８】
（実施の形態１）
図１は本実施の形態１の換気装置の外観を示す図であり、図２は同差圧検知部の詳細を示す図である。
【００２９】
図１のように換気装置１は、例えば、給気ダクト（図示せず）を接続するための複数個のダクト接続口２を有し、他方に排気ダクト（図示せず）を接続するための１個の排気ダクト接続口３を送風機１３の排気側に備え、この排気ダクト接続口３の外壁に差圧検知部４を装備している。
【００３０】
次に、図２に示すように、排気ダクト接続口３の内部に設けたオリフィス５の両側の外壁に設けたオリフィス５の風上側の圧力検出口６およびオリフィス５の風下側の圧力検出口７に係合して、オリフィス５の風上側と風下側の差圧、すなわちオリフィス５の前後の差圧を検知する差圧センサ８を設けている。ここでは、オリフィス５を排気ダクト接続口３の内部に設けたが、これに限定されるものでなく、送風機１３の排気側の換気装置に備えればよく、また、排気ダクト接続口３の近傍に設けても良い。
【００３１】
図３は、換気運転時の風量と差圧センサ８が検知する差圧の関係を示す図である。
【００３２】
オリフィス式の流量測定は、前述のような断面均一な気流が得られる場合には風量の二乗に比例した差圧を示す特性を有する。これは風量を一定に保つためには差圧が一定になるように送風機１３の回転数を制御すれば良いことを示すものである。
【００３３】
特性Ａは、設計標準として設定したダクト配管のモデルにおける特性を示すもので、この特性を利用して、例えば差圧をｐになるように送風機の回転数を制御すれば風量ｑ０で定風量の換気運転ができる。また、制御する差圧を変えることで風量の調節が可能である。
【００３４】
しかしながら、差圧センサ８が気流の乱れが大きい部位にあるため、ダクト配管の状態が前記設計標準と異なると、例えば、ダクト配管が短い場合は特性Ｂに示すような特性になり、差圧をｐになるよう設定している場合の換気風量はｑ１で制御されることになり誤差が生じる。
【００３５】
これを解決するためには施工現場毎に設定の調整を行うようにすれば誤差を修正できるが、施工性が著しく低下する。本発明は、この課題を解決するものである。
【００３６】
図４は、本実施の形態１の換気装置の電気系の構成を示す図である。
【００３７】
主としてＣＰＵで構成され記憶装置９ａを保有する制御手段９は、入力部に前述の差圧センサ８を接続するとともに、送風機１３の回転数を検知する回転数検知手段１０と複数の換気風量を選択するための風量設定手段１１と不揮発性記憶装置１４を接続し、出力側に送風機１３の回転数を制御する回転数可変手段１２を接続している。この制御手段９の後述する動作は、ＣＰＵ内のカウンターやＲＡＭ、ＲＯＭが共働するＣＰＵのプログラムの形態で実施される。
【００３８】
回転数検知手段１０は、例えば送風機１３の回転軸に装着した磁石とこれと対向するように設けたホール素子で構成したもの、あるいは光学式のものである。
【００３９】
回転数可変手段１２は、例えば、外部信号で出力電圧が調節できる可変電圧電源部などである。
【００４０】
次に、図５において、制御手段９の記憶装置９ａに内蔵される回転数対差圧の相関データについて説明する。図５（ａ）は、換気風量をダクトの配置状況に関わらず風量を一定に保つための送風機１３の回転数と、差圧センサ８が検知する差圧の関係を示す図である。  この回転数対差圧の相関データは、実験室において、各種のダクト配管のモデルを設定し、正確な流量が測定できる流量計を用いて、例えば特性Ａの場合は流量計の計測値が毎時１５０立方米になるよう送風機１３の回転数を調節し、このとき前述の図２の位置の差圧センサ８が検知した差圧を求めたものである。一方、前述したようにオリフィス式の流量測定は、断面均一な気流が得られる場合には風量の二乗に比例した差圧を示す特性を有する。これはある特定の風量に対して差圧値は一意に決まる特性となることを意味する。図６に示すようにダクト圧損が変化した場合に、一定の風量になるようにするためには送風機１３の回転数を変化させて風量を一定に保つこととなり、差圧値は変化せず一定の値となる。実験的に求めた測定結果の図５（ａ）において差圧値が一定ではなく右上がりとなっているのは、送風機１３の排気接続口近傍の風速が大きくなることにより動圧力の影響を受けていることを示しているものである。
【００４１】
特性Ｂは特性Ａと同様にして求めた毎時１００立方米の特性である。この図５（ａ）の回転数対差圧の相関データは、データテーブルの形態か、もしくは差圧と回転数の相関式の形態で記憶装置９ａに記憶されている。
【００４２】
電源投入後の初回の運転において固定の回転数で起動し、この時に差圧検知部４が検知する差圧と、記憶している回転数対差圧の相関データとを比較し、相関データの方が大きい場合には送風機１３の回転数を増加させて、逆に相関データの方が小さい場合には送風機１３の回転数を減少させるようにする。こうすることにより期待する風量にすることができる。
【００４３】
図５（ｂ）は、後述する送風機の回転数の制御に関し、任意の回転数における前記の記憶された差圧と差圧センサ８が検知する差圧との差（記憶している回転数対差圧の相関データから差圧センサ検知値を減算した値）と増減させる回転数の関係を示す図である。
【００４４】
図５（ｂ）でＣｋの部分は、差圧差が所定値以内の場合は回転数を増減させないことを示しており、横軸は固定の回転数における差圧検知部が検知する差圧と相関データの前記固定の回転数に対応する差圧の差であり、縦軸は回転数であるが、図５（ｂ）に示されているように、縦軸の回転数の減少もしくは増加の量は、横軸の固定の回転数における差圧検知部が検知する差圧と相関データの前記固定の回転数に対応する差圧の差に略比例しておこなうようにしているので、短時間で精度よく所定の風量が得られることとなる。
【００４５】
このデータも、データデーブルもしくは相関式の形態で記憶装置９ａに記憶されている。
【００４６】
図７は、制御手段９の制御状態を示す図で、特性Ａは図５（ａ）の特性Ａの再掲したもの、特性Ｄは、制御手段９が制御する回転数と差圧の遷移を示す図である。
【００４７】
次に、図４〜図５を参照しながら図７と図８を用い、図８のステップ順序に従って制御手段９の制御動作を説明する。
【００４８】
図８は制御手段９の制御動作を説明するためのフローチャートである。
【００４９】
なお、説明を解りやすくするため、送風機の回転数は数字を例示して説明する。
【００５０】
制御手段９は、ステップ（以下Ｓ）１において、使用者が風量設定手段１１で風量設定量を１５０立方米に設定して運転スイッチ（図示せず）を操作するとこれを読み取り、Ｓ２で送風機１３は毎分５００回転で運転する。この毎分５００回転（ｒ／ｍｉｎ）は制御手段９内の記憶装置９ａにその数値があらかじめ設定されている。
【００５１】
次に、差圧が安定した時点のＳ４において制御手段９は、差圧値ｐ１（図７）を取り込み、Ｓ５において前述の記憶されたデータｐ１１と比較し、差圧差ｐ１１−ｐ１を求める。
【００５２】
そして、制御手段９は、この差圧差に応じた回転数の増加分を図５（ｂ）に示すデータから求め、Ｓ６において送風機の回転数を毎分６６０回転（毎分１６０回転を増加）に制御する。
【００５３】
次のＳ７の平均化処理は前述のＳ３に同じで、さらに、Ｓ８において制御手段９は、差圧ｐ２を読み取り、Ｓ９においてＳ５同様に差圧差Ｐ１２−Ｐ２を求める。
【００５４】
そして、Ｓ１０において、送風機の回転数が差圧差Ｐ１２−Ｐ２に応じた毎分７５０回（毎分８０回転を増加）に制御される。
【００５５】
以下同様に制御手段９は、Ｓ１１で平均化処理を行い、Ｓ１２で差圧ｐ３を読み取り、Ｓ１３で差圧を比較し、Ｓ１４で回転数を毎分８００回転（毎分５０回転を増加）に制御する。
【００５６】
さらに同様にＳ１５で平均化処理を行い、Ｓ１６で差圧ｐ４を読み取り、Ｓ１７で差圧を比較するがｐ１４−ｐ４が図５（ｂ）に示す差圧差が所定値Ｃｋ以内であることを確認すると、以後は毎分８００回転に維持した状態で送風機１３が運転される。
【００５７】
Ｓ１９では、維持した回転数、毎分８００回転（ｒ／ｍｉｎ）がＳ２で説明した記憶装置の毎分５００回転（ｒ／ｍｉｎ）のデータを毎分８００回転に書き換えて記憶され、次回の運転からは送風機１３は毎分８００回転からスタートする。
【００５８】
Ｓ１９以後の動作は、回転数を毎分８００回転に維持した後もＳ２０〜Ｓ２３の動作を実施し、測定差圧が基準差圧に対して所定値（前述のＣｋ）以上になった場合、例えば外気圧もしくは外気圧と建物の内部の圧力差が変動した場合の風量の変動に対応する。
【００５９】
以上の説明では回転数を増加させる例で説明したが、Ｓ５においての差圧の比較値が負の値を示した場合は（ダクト抵抗が小さい場合）、図５（ｂ）で示すように回転数を減少させる動作が行われる。
【００６０】
以上のようにして、制御手段９は定風量の基準となる差圧センサの検知差圧を、特性Ａに近づけるように送風機１３を制御して設置状況に最も適した値に自動的に設定する。
【００６１】
なお、回転数検知手段１０は送風機１３がＤＣモータの場合は、モータ自身が保有する位置検出センサーの信号を制御手段９に取り込むようにしてもよい。また、回転数を増減する方法は、モーターに印加する電圧を増減する方法で代用してもかまわない。
【００６２】
このようにして得られた送風機１３の回転数をＣＰＵ内の一時記憶装置９ｂに記憶しておくようにする。つまり換気装置１のダクト長、曲がり数などの設置状況による負荷状態を回転数として記憶しておく。そして、この記憶した回転数を次回運転時の初期回転数として使用することにより運転開始時より期待する風量にすることができる。また、換気装置１は電源スイッチを設けて不使用時には電源を遮断するようにして使用される場合もある。一時記憶装置９ｂは電源が遮断されると記憶値が消滅してしまう。そこで相関データと一致した送風機１３の回転数を不揮発性記憶装置１４に記憶するようにする。電源を遮断した後に再び運転開始する場合には、不揮発性記憶装置１４から前回の運転時の回転数を読み出し、その回転数で運転開始するようにする。こうすることで電源が遮断された後に運転を再開する場合においても運転開始時より期待する風量にすることができる。
【００６３】
以上説明したように本発明の換気装置は、差圧センサを気流の乱れが大きい換気装置の排気口近傍に設けた場合でも、設置毎にダクト配置の条件が異なっても、所定の安定した換気風量が得られるようにしたものであり、風量制御により到達した回転数を記憶しておくことで運転開始時および風量設定変更時に速やかに規定の風量が得られるようにしたものである。
【００６４】
（実施の形態２）
図９は、本実施の形態２の換気装置の電気系の構成を示す図である。実施の形態２は実施の形態１で説明した図４と同じ構成であり記憶装置１５ａが異なる。すなわち、記憶装置１５ａに内蔵したアルゴリズムは、「待機」を行うステップを有し、初期回転数で起動または風量設定変更をしたとき設定した回転数で一定時間運転をするように構成したものである。そして、そのアルゴリズムは、図１０で示すフローチャートの動作を実行するＣＰＵプログラムの形態で実施される。
【００６５】
ＣＰＵプログラムの動作を図１０のフローチャートを使用して説明する。制御手段１５は、Ｓ３０において運転か否かを判定し、停止中であると判断した場合はＳ３１に進み送風機を停止させる。一方、運転と判断した場合にはＳ３２に進み、起動開始であるか否かを判定する。起動開始であると判定した場合には、Ｓ３３に進み送風機の起動を行った後Ｓ３４で一定時間ｔ１（例えば３０秒間）待機した後、Ｓ３５に進み風量制御を行う。Ｓ３２で起動開始では無いと判断した場合には、Ｓ３６に進み風量設定変更か否かを判定する。風量設定変更で無い場合はＳ３５に進み風量制御を行う。Ｓ３６で風量設定変更があったと判定された場合は、Ｓ３７に進み回転数を変更した後、Ｓ３８で一定時間ｔ２（例えば３０秒間）待機したのちＳ３５風量制御に進むようにする。
【００６６】
以上のＣＰＵプログラムの動作を、さらに図１１および図１２のタイムチャートを使用して説明を行う。図１１は運転開始直後の回転数制御を時系列で示したタイムチャートである。運転開始時には回転数をゼロから徐々に上昇させ、初期回転数に到達したところで一定時間ｔ１（例えば３０秒間）待機する。一定時間待機することで気流が安定し差圧検知部４の検知する差圧値を安定させることができ風量制御を速やかに安定させることができる。図１２は運転風量設定を変更した場合の回転数制御を時系列で示したタイムチャートである。運転風量設定変更時には、変更後の風量の初期回転数まで徐々に変化させ初期回転数に到達したところで一定時間ｔ２（例えば３０秒間）待機する。運転風量設定を変更する場合においても一定時間待機することで気流が安定し差圧検知部４の検知する差圧値を安定させることができ風量制御を速やかに安定させることができる。
【００６７】
以上説明したように本発明の換気装置は、初期回転数で一定時間運転するようにしたもので気流が安定した後から差圧値を読み取るようにしたもので速やかに風量制御を行うことができるようにしたものである。
【００６８】
（実施の形態３）
図１３は換気風量を３速選択できる換気装置１における各々の換気風量設定に対する回転数の可変範囲を示した一例であり、弱運転の回転数制御範囲は下限値Ｌ１から上限値Ｌ２、中運転の回転数制御範囲は下限値Ｍ１から上限値Ｍ２、強運転の回転数制御範囲は下限値Ｈ１から上限値Ｈ２であることを示している。また各々の換気風量の初期運転回転数は下限値Ｌ１、Ｍ１、Ｈ１とする。例えば、弱運転で運転する場合に、まず回転数Ｌ１で運転開始し実施の形態１で説明した風量制御により次第に送風機１３の回転数を上昇させ風量が規定値になったところで回転数の上昇は停止し安定する。このポイントをＬｎとする。次に使用者が風量設定を中運転に切り替えた場合に、中運転の初期回転数Ｍ１で運転を行い、ここから風量制御により次第に回転数を上昇させて回転数Ｍｎになる。しかしながら回転数Ｍ１は回転数Ｌｎより低い回転数なので風量設定を弱運転から中運転に増加させたにも関わらず、一時的に風量は低下し騒音値も低下することになり使用者は違和感を感じることになる。この現象を回避するために風量設定変更時の初期回転数を補正するように構成する。
【００６９】
図１４を用いて本実施の形態の補正方法を説明する。制御手段９は、中運転の運転を開始した場合にＳ４０にて前回の運転モードを判定する。前回の運転モードが弱運転でない場合はＳ４３に進み中運転の初期回転数をそのまま使用して運転を開始する。前回の運転モードが弱運転の場合は、Ｓ４１に進み弱運転時の回転数と中運転の初期回転数を比較し、中運転の初期回転数の方が高い場合にはＳ４３に進み、中運転の初期回転数を使用する。中運転の初期回転数の方が低い場合には、Ｓ４２に進み初期回転数を弱運転時の回転数と同じ値に補正して運転開始するようにする。この制御により、送風機１３の回転数は図１５に示すような遷移で上昇することになり一時的に風量が逆転する現象が解消でき使用者は違和感なく使用することができる。
【００７０】
図１６は制御手段９が、風量設定の変更時に変更前の回転数から変更後の初期回転数を演算にて求めた場合の回転数の変化を図示したものである。例えば式１のように弱運転の回転数Ｌｎで運転中に、中運転に変更された場合はＬ１とＬ２の可変範囲におけるＬｎの割合から演算して回転数Ｍｎを求めるようにする。
【００７１】
Ｍｎ＝Ｍ１＋（Ｌｎ−Ｌ１）／（Ｌ２−Ｌ１）Ｘ（Ｍ２−Ｍ１）  ・・・・（式１）
例えばＬ１＝５００回転、Ｌ２＝１０００回転、Ｌｎ＝７００回転、Ｍ１＝７００回転、Ｍ２＝１５００回転とした場合、式１から求められる初期回転数は１０２０回転となる。こうすることで速やかに目標とする風量に到達させることができ、かつ、一時的に風量が逆転する現象が解消でき使用者は違和感なく使用することができる。
【００７２】
（実施の形態４）
図１７は、本実施の形態４の換気装置の電気系の構成を示す図である。主としてＣＰＵで構成され記憶装置１６ａを保有する制御手段１６は、入力部に差圧センサ８を接続するとともに、送風機１３の回転数を検知する回転数検知手段１０と複数の換気風量を選択するための風量設定手段１１と不揮発性記憶装置１４を接続し、出力側に送風機１３の回転数を制御する回転数可変手段１２と適正風量表示手段１８を接続している。この制御手段１６の後述する動作は、ＣＰＵ内のカウンターやＲＡＭ、ＲＯＭが共働するＣＰＵのプログラムの形態で実施される。適正風量表示手段１８は、例えば、ランプや液晶表示装置などである。
【００７３】
上記構成において、例えば、回転数と差圧値の関係が図５（ｂ）のＣｋの状態すなわち差圧差が所定値内にある場合に適正風量表示手段１８に表示するようにする。施工ミスによりダクト配管が潰れていたり、ダクトの長さまたは曲り数が規定値以上の場合には、ダクト圧損が機器の性能を超え風量が低下してしまうことになる。使用者は、表示を確認することにより適正な換気がされていることを容易に認識することができる。また、風量が規定値に達していない場合に、図１８に示す風量低下表示手段１９に表示するようにする制御手段１７と記憶装置１７ａの構成としても使用者は表示を確認することにより適正な換気がされていることを容易に認識することができる。風量低下表示手段１９はランプであっても液晶表示装置による表示であっても良い。
【産業上の利用可能性】
【００７４】
本発明によれば差圧センサを換気装置の排気接続口の近傍に設けることができるので多室換気用の換気装置以外の１室用の換気装置や送風機などにも適用できる。
【図面の簡単な説明】
【００７５】
【図１】本発明の換気装置の実施の形態１の外観を示す図
【図２】同差圧検知部の詳細を示す断面図
【図３】同換気運転時の風量と差圧センサ８が検知する差圧の関係を示す図
【図４】同電気系の構成を示す図
【図５】同制御手段の記憶装置に内蔵される回転数対差圧の相関データを説明するための図（（ａ）換気風量をダクトの配置状況に関わらず風量を一定に保つための送風機の回転数と差圧センサが検知する差圧の関係を示す図、（ｂ）任意の回転数における記憶された差圧と差圧センサが検知する差圧との差（記憶している回転数対差圧の相関データから差圧センサ検知値を減算した値）と増減させる回転数の関係を示す図）
【図６】同制御手段の回転数対差圧の相関データを説明するための図
【図７】同制御手段の制御動作を説明するための図
【図８】同制御手段の制御動作を説明するためのフローチャート
【図９】本発明の実施の形態２の電気系の構成を示す図
【図１０】同制御手段の制御動作を説明するためのフローチャート
【図１１】同タイムチャート
【図１２】同タイムチャート
【図１３】本発明の実施の形態３の動作を示す図
【図１４】同制御手段の制御動作を説明するためのフローチャート
【図１５】同動作を示す図
【図１６】同動作を示す図
【図１７】本発明の実施の形態４の電気系の構成を示す図
【図１８】同電気系の構成を示す図
【図１９】従来例の換気装置の構造を示す図
【符号の説明】
【００７６】
１      換気装置
３      排気ダクト接続口
４      差圧検知部
９      制御手段
９ａ    記憶装置
１０    回転数検知手段
１２    回転数可変手段
１３    送風機
１４    不揮発性記憶装置
１５    制御手段
１５ａ  記憶装置
１６    制御手段
１６ａ  記憶装置
【図１】
2009264622.tif 000003
【図２】
2009264622.tif 000004
【図３】
2009264622.tif 000005
【図４】
2009264622.tif 000006
【図５】
2009264622.tif 000007
【図６】
2009264622.tif 000008
【図７】
2009264622.tif 000009
【図８】
2009264622.tif 000010
【図９】
2009264622.tif 000011
【図１０】
2009264622.tif 000012
【図１１】
2009264622.tif 000013
【図１２】
2009264622.tif 000014
【図１３】
2009264622.tif 000015
【図１４】
2009264622.tif 000016
【図１５】
2009264622.tif 000017
【図１６】
2009264622.tif 000018
【図１７】
2009264622.tif 000019
【図１８】
2009264622.tif 000020
【図１９】
2009264622.tif 000021